(57)【特許請求の範囲】
【請求項１】
内部負荷および外部負荷に電力を供給するように燃料電池発電装置を動作させる方法であって、
前記内部負荷および外部負荷の電力要求を算定して、前記電力要求を満たすのに充分な一定のＩＤＣ値を求めるステップと、
前記一定のＩＤＣ値を提供するように前記燃料電池発電装置を作動させるステップと、
前記一定のＩＤＣ値での前記燃料電池発電装置の動作を維持するように、補助電力を前記内部負荷に供給し、かつ、出力電力を前記外部負荷に供給するステップと、
前記一定のＩＤＣ値での前記燃料電池発電装置の動作を維持するように、前記内部負荷への前記補助電力と、前記外部負荷への前記出力電力と、の少なくとも１つを調整するステップと、
を含み、
前記内部負荷は最大電力要求を有するとともに、前記外部負荷は最小電力要求を有しており、前記ＩＤＣ値を求めるステップは、前記内部負荷の前記最大電力要求と、前記外部負荷の前記最小電力要求と、の双方を満たすのに充分な一定のＩＤＣ値を設定することを備えた、燃料電池発電装置を動作させる方法。
【請求項２】
前記燃料電池発電装置が、前記調整するステップを実行できない正規の動作モードと、前記調整するステップを実行できる信頼性向上の動作モードとを持っている請求項１に記載の方法。
【請求項３】
前記調整するステップが、前記一定のＩＤＣ値での前記燃料電池発電装置の動作を維持するように、前記内部負荷への前記補助電力を調整するステップを含む請求項１に記載の方法。
【請求項４】
前記燃料電池発電装置が、前記調整するステップを実行できない正規の動作モードと、前記調整するステップを実行できる信頼性向上の動作モードとを持っている請求項１に記載の方法。
【請求項５】
内部負荷および外部負荷に電力を供給するように燃料電池発電装置を動作させる方法であって、
前記内部負荷および外部負荷の電力要求を算定して、前記電力要求を満たすのに充分な一定のＩＤＣ値を求めるステップと、
前記一定のＩＤＣ値を提供するのに充分なほぼ一定の反応物の流れにて、燃料電池発電装置を動作させるステップと、
前記一定のＩＤＣ値および前記一定の反応物の流れを維持するように、前記内部負荷および前記外部負荷の少なくとも一つへの電力を調整するステップと、
を含み、
前記内部負荷は最大電力要求を有するとともに、前記外部負荷は最小電力要求を有しており、前記ＩＤＣ値を求めるステップは、前記内部負荷の前記最大電力要求と、前記外部負荷の前記最小電力要求と、の双方を満たすのに充分な一定のＩＤＣ値を設定することを備えた、燃料電池発電装置を動作させる方法。
【請求項６】
前記算定するステップが、内部負荷と前記外部負荷の組み合わされた電力要求を算定して、前記電力要求を満たすのに充分な前記一定のＩＤＣ値を求めるステップを含む請求項５に記載の方法。
【請求項７】
前記ほぼ一定の反応物の流れにて提供できるＩＤＣ値の範囲を求めて、前記ＩＤＣ値の範囲内で、前記一定のＩＤＣ値を調整するステップをさらに含む請求項６に記載の方法。
【請求項８】
前記調整するステップが、前記内部負荷への補助電力と前記外部負荷への出力電力の少なくとも１つを調整するステップを含む請求項７に記載の方法。
【請求項９】
前記燃料電池発電装置が、前記ほぼ一定の反応物の流れでの出力電圧を持ち、また、前記出力電圧と、前記外部負荷の最大電圧とを比較して、前記出力電圧が前記最大電圧よりも大きいときには、選択的に補助負荷を作動させ、それにより、前記出力電圧の一部を前記補助負荷に供給し、前記最大電圧よりも低い残りの電圧を前記外部負荷に供給するステップをさらに含む請求項５に記載の方法。
【請求項１０】
前記出力電圧と前記最大電圧との差を算定して、前記差を利用するように前記補助負荷を選択するステップをさらに含む請求項９に記載の方法。
【請求項１１】
前記補助負荷が、ＡＣ負荷、ＤＣ負荷、および、ＡＣ負荷とＤＣ負荷を組み合わせた負荷から成るグループから選択される請求項９に記載の方法。
【請求項１２】
内部負荷および外部負荷の電力要求を算定して、前記電力要求を満たすのに充分な一定のＩＤＣ値を求める手段と、
前記一定のＩＤＣ値での前記燃料電池発電装置の動作を維持するように、補助電力を前記内部負荷に供給し、かつ、出力電力を前記外部負荷に供給する手段と、
前記一定のＩＤＣ値での前記燃料電池発電装置の動作を維持するように、前記内部負荷への前記補助電力と、前記外部負荷への前記出力電力と、の少なくとも１つを調整する手段と、
を備え、
前記内部負荷は最大電力要求を有するとともに、前記外部負荷は最小電力要求を有しており、前記ＩＤＣ値を求める手段は、前記内部負荷の前記最大電力要求と、前記外部負荷の前記最小電力要求と、の双方を満たすのに充分な一定のＩＤＣ値を設定することを特徴とする燃料電池発電装置制御システム。
【発明の詳細な説明】
【技術分野】
【０００１】
本発明は、燃料電池発電装置に関し、具体的に言えば、燃料電池発電装置を、その信頼性を向上させるように動作させる改良された方法に関する。
【背景技術】
【０００２】
燃料電池発電装置は、優れた電源であり、よりクリーンな動作、および他の多数の周知の恩恵のために、既存および従来の電源に代る比類なく望ましい代替手段となっている。
【０００３】
従来のやり方では、電力系統連系形の燃料電池発電装置用の代表的な動作方式は、その燃料電池発電装置内のバルブ・アクチュエータ、ポンプ、ブロワなどの様々な制御構成要素をサイクル動作させて、一定の正味電力を維持することにより、このような一定の正味電力を維持しようとする試みで、正味ＡＣ電力出力を維持することになっている。電力系統とは無関係な代表的な発電装置は、これらの制御構成要素を動作させて、所望の電力を変動負荷に供給するように処理条件を調整する。
【０００４】
あいにく、このことから、主要負荷への一定の正味電力を維持するために、前述のバルブ・アクチュエータ、ポンプ、ブロワなどの様々な燃料電池構成要素に頻繁なサイクル動作を課すことに関連して、信頼性および維持の面で重大な問題がもたらされる。
【０００５】
これらの問題を解決するための改良された燃料電池発電装置動作方法が引き続き必要であることは明らかである。
【発明の開示】
【発明が解決しようとする課題】
【０００６】
それゆえ、本発明の主要目的は、これらの構成要素のサイクル動作を減らした状態で燃料電池発電装置を動作させることで、発電装置の信頼性を向上させ、かつ、製造費と運転費用を下げる方法を提供することである。
【０００７】
本発明のさらに他の目的および利点は、以下に示される。
【課題を解決するための手段】
【０００８】
本発明により、上述の目的および利点が容易に達成された。
【０００９】
本発明により、燃料発電装置を動作させて主要負荷および補助負荷に電力を供給する方法であって、外部負荷の電力要求を算定して、上記電力要求を満たすのに充分な一定のＩＤＣ値を求めるステップ、上記一定のＩＤＣ値にて上記燃料電池発電装置が供給するレベルの出力電力を上記外部負荷に供給するステップ、および、上記一定のＩＤＣ値での上記燃料電池発電装置の動作を維持するように、上記外部負荷への上記出力電力を調整するステップを含む方法が提供される。
【００１０】
本発明のさらに他の実施形態により、燃料電池発電装置を動作させて内部負荷および外部負荷に電力を供給する方法であって、上記内部負荷および上記外部負荷の電力要求を算定して、上記電力要求を満たすのに充分な一定のＩＤＣ値を求めるステップ、上記一定のＩＤＣ値での上記燃料電池発電装置の動作を維持するように、補助電力を上記内部負荷に、また、出力電力を上記外部負荷に供給するステップ、および、上記一定のＩＤＣ値での上記燃料電池発電装置の動作を維持するように、上記内部負荷への上記補助電力と上記外部負荷への上記出力電力の少なくとも１つを調整するステップを含む方法が提供される。
【００１１】
さらに本発明により、燃料電池発電装置を動作させる方法であって、外部負荷の電力要求を算定して、上記電力要求を満たすのに充分な一定のＩＤＣ値を求めるステップ、および、上記一定のＩＤＣ値を提供するのに充分なほぼ一定の反応物の流れにて、上記燃料電池発電装置を動作させるステップを含む方法が提供される。
【００１２】
さらに、本発明の目的は、ＤＣ・ＤＣ変換器などの追加ハードウェアを減らすか、または排除するように、一定の限られた電圧および電力バンド（範囲）内で燃料電池発電装置を動作させる方法を提供することである。
【００１３】
さらに本発明により、主要負荷および／または補助負荷に供給される電流を、簡略化されたオン／オフ・ハードウェアを用いて調整して、システムのうち、摩耗を受ける部分をさらに減らし、かつ、燃料と酸化剤、または反応物の一定の流れにて、燃料電池発電装置を動作させる能力をさらに向上させることができる。
【発明を実施するための最良の形態】
【００１４】
本発明の好ましい実施形態の詳細な説明が、添付図面を参照して、以下に示される。
【００１５】
本発明は、燃料電池発電装置に関し、さらに具体的に言えば、燃料電池発電装置を動作させて、それによって発生した電力を、該燃料電池発電装置を一定のＤＣ電流（ＩＤＣ）値で動作させるように割り当て、それにより、該燃料電池発電装置のハードウェア要件を簡略化できるようにし、かつ、該燃料電池発電装置をさらにコンスタントに動作させられるようにする方法に関する。ほぼ一定のＤＣ電流値での動作は、有利には、燃料電池発電装置への一定の反応物の流れを利用して達成でき、その一定の反応物の流れは、より故障しにくい単純化された構造を利用して達成することができる。このことから、燃料電池発電装置の信頼性と耐久性が向上する。
【００１６】
本発明によれば、燃料電池発電装置の従来の動作と違って、この燃料電池発電装置は、主要負荷に電力を供給するのに用いられる一定または不変のＩＤＣ値にて動作する。主要負荷に加えて、補助負荷および／または電力系統自体も、追加電力要求の源として含まれていてもよい。
【００１７】
本発明の一実施形態により、主要負荷の電力要件ならびに補助負荷の電力要件は、主要負荷と補助負荷を満たすために、総電力として、どれくらいのＤＣ電流を必要とするのか確認するために、算定される。必要と確認される量は、有利には、主要負荷に供給される電力を減らすことで、必要に応じて電力を補助負荷に供給するのに充分であるように決められた量であることもある。したがって、この量は、主要負荷の最小要件と同時に、補助負荷の最大要求を少なくとも満たすのに足るものでなければならない。
【００１８】
この一定のＤＣ電流または設定値が設定された後では、補助負荷からの需要の変更などのような条件の変更にもかかわらず、燃料電池発電装置からの一定のＤＣ電流を維持するために、必要に応じて、主要負荷への出力電力を変更する。
【００１９】
補助負荷を、特定の時間に動作させる必要があるときには、有利には、所要の補助電力が、補助負荷に差し向けられることがある。また、主要負荷に供給される正味電力は、匹敵する量だけ減らされて、調整された正味電力を主要負荷に供給し、燃料電池発電装置から出力されるＤＣ電流が、要望通り、なおも、ほぼ一定にとどまるようにしている。
【００２０】
したがって、燃料電池発電装置の動作は、燃料電池発電装置の動作パラメータの変更を必要とすることなく、ほぼ一定または不変のＤＣ電流にて行われる。これは、有利なことに、電力を調整して主要負荷の需要を満たすために、燃料電池発電装置の構成要素の従来必要とされる頻繁なサイクル動作を回避する。本発明により、バルブ・アクチュエータ、ポンプ、ブロワなどのような構成要素を動作させて、燃料電池発電装置に、燃料、酸化剤、冷却剤などの一様な流れまたは不変の流れを与え、また、ほぼ一定のＩＤＣ電流を生じさせて、これらの構成要素の摩耗を減らす。このように、一定の反応物の流れで燃料電池発電装置を動作させることは、本発明の特別な利点である。
【００２１】
本発明の他の実施形態により、主要電力負荷は、一般に、需要家、または電力を必要とする他の主要負荷であり、一方、補助負荷は、動作が少なくとも一部任意選択である、燃料電池発電装置の内部設備などを含むこともある。本発明により、主要負荷または外部負荷からの需要が許せば、補助電力を使用して、これらの補助負荷を動作させ、こうして、一定のパラメータでの燃料電池発電装置の動作を維持するのに役立てながら、必要に応じて補助負荷を動作させることができる。補助負荷を、融通の効くスケジュールで動作させることができるか、あるいは、電力を、単に電力系統に供給できるにすぎないこの実施形態では、要求される出力電力を超える電力を、主要負荷、補助負荷、および／または電力系統に供給することで、一定のＤＣ電流での燃料電池発電装置の動作を維持できる。
【００２２】
本発明の方法は、主要負荷の需要が許せば、補助負荷に電力を供給するか、あるいは、補助需要が必要とするときには、主要負荷への電力を減らすことになることが理解されよう。したがって、本発明により、主要負荷か、補助負荷の一方は、他方の負荷を使用できるようにしている。本発明のさらに他の面により、好ましくは、どちらの負荷が制御中であると見なされるか調査した後で、その負荷が、主要負荷であろうと、補助負荷であろうと、そのような負荷用に受け入れられたレンジ内に確実に入るように、いかなる動作条件も変更する。
【００２３】
主要負荷の要件が下げられるときに、補助電力が認められる本発明の実施形態に関連して、業務上の理由、および他の多数の理由から、（ａ）主要負荷の要件を、特定のバンド（範囲）内でのみ変更できるようにし、（ｂ）使える補助電力が補助負荷を動作させるのに充分であるときだけ、その補助負荷に電力を供給することが望ましいことがある。
【００２４】
必要に応じて補助負荷に補助電力を供給することで、主要電力負荷を減らす本発明の一面により、主要負荷で表わされる需要家に受け入れられるときだけ、さらに、この減少量が、或る受入れ可能な許容差の範囲内にあるときだけ、供給される主要電力を、このように減らせることも、さらに望ましいかもしれない。
【００２５】
本発明の方法を実施するために、また、この方法を実施する制御システムを提供するために使用できる様々なコントローラ、インバータ、およびそれらに類するハードウェアは、通常の当業者にはよく知られているが、これらの具体的な構成要素は、本発明の一部を成すものではない。
【００２６】
本発明のさらに他の一面により、燃料電池発電装置により供給されるスタック電圧（ｓｔａｃｋ ｖｏｌｔａｇｅ）を制御して、それが外部負荷への許容電圧レンジを超えることがないようにすることができる。万一、燃料電池発電装置からの電圧が、その許容電圧レンジを超えたら、補助負荷または追加負荷を加えるか、あるいは、除去して燃料電池発電装置の所望の電圧レンジを維持するのに必要な電力の一部を補助負荷に送り、また、外部負荷に送られる残りの電力すなわちバランス電力がこの許容電圧レンジを超えないようにすることができる。この補助負荷は、任意タイプの負荷、例えば、ＡＣ負荷、ＤＣ負荷、もしくは、ＡＣ負荷とＤＣ負荷を組み合わせた負荷でよい。もちろん、ＡＣ負荷では、インバータを必要とする場合がある。単純な補助負荷の一例として、抵抗性ヒータがあろう。
【００２７】
外部負荷要件が、比較的に狭いレンジの電力受渡しと電圧レンジにあるときには、従来のやり方では、このレンジを満たすために、ＤＣ／ＤＣ変換器を必要とすることがある。しかしながら、本発明により、燃料電池発電装置を、所望の比較的に一定の条件にて、非常に効率的なやり方で有利に動作させながら、このようなＤＣ／ＤＣ変換器、および、このＤＣ／ＤＣ変換器に関連する費用、サイズ、効率の問題を避けることができる。
【００２８】
さらにこの実施形態により、燃料電池発電装置の性能が徐々に劣化することは普通である。本発明により、燃料電池発電装置により供給される電圧は、監視できる。特に、利用できる電圧と、外部負荷に対して要求される電圧レンジとの差を監視して、補助負荷が、その差と有利にマッチするように選択されて、それにより、所要の電圧レンジ内のレベルの電圧を外部負荷に提供できるようにしている。この差が小さくなると、異なる補助負荷、または、それらを組み合わせた補助負荷に電力を供給するか、あるいは、このタイプの補助負荷で可能であれば、補助負荷が必要でなくなるまで、補助負荷に、下げた電力を送ることができる。これにより、有利なことに、燃料電池発電装置を、比較的に一定の条件にて、長時間にわたって動作させて、外部負荷に、その要件の範囲内で電力を供給することができる。
【００２９】
この点に関しては、それぞれの補助負荷が既知の電圧変化レベルを与える一組の複数の補助負荷を提供し、また、外部負荷への出力電圧を、その選択された動作電圧レンジ内に維持するのに充分な負荷（１つまたは複数）を、この組から選択することが望ましいかもしれない。
【００３０】
この負荷、または組み合わせた負荷はまた、あらかじめ選択された動作電圧レンジ内で、発電装置の効率を最大にするように選択される。さらに、補助負荷は、好ましくは、制御範囲内で、連続的に変えられる既知の電圧変化レベルを与えるように制御される。
【００３１】
本発明のこの実施形態はまた、外部負荷の電力レンジ以外の電圧を補償するように選択された補助負荷を使用しながら、反応物の流れなどのような動作条件をほぼ一定に維持できるようにしている。
【００３２】
ここで、図１に移って、本発明によるシステムおよびシステムを動作させる方法が図式的に示されている。
【００３３】
図１は、本発明による主要負荷からの需要の処理を図式的に示している。図示されるように、所望の正味出力電力２０が受け取られて、計算２２を受け、それにより、ＩＤＣ設定値が求められる。次に、このＩＤＣ設定値は、燃料電池電流測定２６からの情報とともに、コントローラ２４に渡されて、ＩＤＣ設定値が、ＩＤＣ設定値用にあらかじめ設定された最大・最小設定値の範囲に確実に入るようにする。ＩＤＣ設定値がこのレンジ内に入ると仮定すると、このＩＤＣ設定値は、有効なＩＤＣ設定値と見なされ、デルタ出力電力信号２７が生成され、様々な構成要素を経てハードウェアに送られて、主要負荷への正味出力電力を制御する。このデルタ出力電力信号は、有利には、要望通りに、所望の正味出力電力量を主要負荷に供給できるようにする。さらに、電力制御装置（図示されてない）はさらに、燃料電池発電装置により発生する総電力と、主要負荷に供給される正味出力電力との差に相当する電力量を供給するように動作する。この残りの電力は、本明細書では、補助電力と呼ばれる。この補助電力は、以下でさらに述べられるように、様々な補助負荷に供給される。
【００３４】
さらに図１を参照すると、本発明による燃料電池発電装置は、有利には、２つの異なる方式で動作できる制御システムを持つことがある。図１は、所望の正味出力電力２０と、所望の出力電力を需要家にじかに供給できるようにする切換えスイッチ２８との間の第１の接続を示している。この「正規の」動作方法では、燃料電池発電装置は、主要負荷への正味電力を、需要に対応するレベルに維持するように、様々な構成要素にサイクル動作を潜在的に頻繁に行わせる、従来のやり方で動作させることもある。
【００３５】
しかしながら、図１はさらに、燃料電池発電装置を、本明細書中に述べられる信頼性向上方式で、一定のＩＤＣ値にて動作させることのできる本発明の方法も示している。この方式は、本発明により、補助負荷に送ることのできる超過電力量を決定するために、ＰＩＤコントローラ２４を介した接続により表わされる。
【００３６】
図２はさらに、本発明を図示し、燃料電池スタック・アセンブリ１０からの直流をインバータ１２に供給するように、ほぼ一定のＩＤＣにて有利に動作する燃料電池スタック・アセンブリ１０を示している。コントローラ１４が備えられて、正味需要に関して、主要負荷からの伝達情報を受け取るようにしている。コントローラ１４は、インバータ１２に供給される正味需要信号１５を生成する。本発明によるインバータ１２は、総電力を発生させ、その総電力の一部が、正味出力電力１６として主要負荷に送られ、また、総電力の残りの部分が、補助電力として、補助負荷１８に送られる。正味出力電力１６として主要負荷に送られる電力量は、インバータ１２で受け取られた正味需要信号に基づいて、制御される。
【００３７】
本発明のこの実施形態により、補助負荷１８は、電力を必要とする任意の利用できる設備、アセンブリなどであってもよい。補助負荷１８は、ＡＣ負荷またはＤＣ負荷であることもある。例えば、補助負荷１８は、時折、電力を必要とする燃料電池発電装置の内部構成要素であることがある。あるいは、補助負荷１８は、電力系統であることもある。その場合、電力系統への電力のダンピング（ｄｕｍｐｉｎｇ）は、政府当局により認められる。もちろん、他の補助負荷を、本発明による燃料電池発電装置に結合することができる。
【００３８】
上記のように、本発明により、燃料電池発電装置から出力された電流は、有利に調整できる一方で、燃料および酸化剤の送込みが有利に決められる。これはさらに、有利なことに構成要素のサイクル動作を最小限に抑える働きをして、機器の寿命を延ばし、それゆえ、発電装置の信頼性を向上させる。
【００３９】
図３は、本発明による燃料電池発電装置への燃料および空気の反応物の流れの調整を含む本発明による燃料電池システムを図式的に示している。図示されるように、燃料電池のアノード３０向けの燃料は、一定調整状態（ｔｒｉｍ）にて、燃料処理装置３２（もしあれば）に、あるいはアノード３０に送られる。空気も、一定調整状態にてカソード３４に送られる。空気を、一定調整状態にて燃料処理装置３２（使用される場合）に送ることができ、それにより、燃料と空気が、一定の率で燃料電池に送られる。燃料電池からのＤＣ電力は、パワーコンディショナ（直交電力変換装置）３６に送られて、総ＡＣ電力３８に変換され、次に、正味ＡＣ電力４０は、要望通り、主要負荷および／または電力系統に送られ、さらに、補助電力４２は、燃料電池発電装置内の負荷などのような他の補助負荷に送られる。
【００４０】
図４は、システムが、電力系統連系形のシステムか、あるいは、電力系統とは無関係のシステムであることもある本発明の一面をさらに示している。図示されるように、流れ、温度などのような処理信号４４を受け取って、設定値コントローラ４６に渡す。設定値コントローラ４６は、この信号を処理して、所望のＩＤＣを、状況に応じて電力系統連系形のブランチ４８か、あるいは電力系統とは無関係のブランチ５０に供給する。電力系統連系形のブランチ４８では、主要負荷で必要とされない電力を、要望通り、すぐに電力系統および／または他の内部補助負荷に送ることができる。
【００４１】
しかしながら、電力系統とは無関係のブランチ５０では、主要負荷で必要とされない超過電力を、ヒータなどのような内部補助負荷に送らなければならない。いずれのブランチでも、燃料電池発電装置からの一定のＩＤＣで発生したすべての電力を利用して、燃料電池発電装置の構成要素のサイクル動作が必要でないようにしている。
【００４２】
図５は、燃料電池発電装置からの電圧が外部負荷の最大電圧と比較して監視される実施形態によるシステムの一部を示している。図示されるように、燃料電池発電装置からのＶＤＣ５２と、ＶＤＣ設定値５４とを比較して、ＰＩＤコントローラは、外部負荷または主要負荷への電圧を最大レベルよりも低く抑えるように、補助負荷５６に電力を供給する必要があるかどうか判定するようにしている。このＶＤＣ設定値は、計算結果であり、燃料電池発電装置の動作寿命の初期では、所望の電圧レンジ内で大きく、また、燃料電池発電装置性能が衰えてくると、所望の電圧レンジ内で小さいこともある。
【００４３】
図６は、この実施形態用の動作点を簡単に表わしたものであり、外部負荷に必要な電圧レンジ、および、最初にラインに置かれたとき５８と、長い動作後６０の燃料電池発電装置に対する性能曲線５８、６０を示している。図示されるように、曲線５８上では、負荷のない動作点６２は、最大許容電圧の上方にあるが、余分の負荷を使用すれば、この電圧レンジ内にある動作点６４を得ることができる。曲線６０上では、余分の負荷のない動作点６６が、所要のレンジ内にあるので、いかなる余分の負荷も必要ではない。
【００４４】
本発明により、燃料電池発電装置を動作させる改良された方法が提供されることが容易に理解されよう。そこでは、燃料電池発電装置から発生した全電力が消費されるように、主要負荷および補助負荷（１つまたは複数）に送られる電力のバランスをとって、一定のＩＤＣにて燃料電池発電装置を動作させ、それにより、燃料電池発電装置を安定的に動作させることで、燃料電池発電装置の信頼性および耐久性を向上させる。
【００４５】
本発明は、本明細書に述べられ、図示される例証に限定されないものとし、これらの例証は、本発明を実施する最良の態様を単に例示するものと見なされ、また、部分の形状、サイズ、配置構成、および、動作の詳細について、変更が可能である。もっと適切に言えば、本発明は、併記の特許請求の範囲により定められた精神および範囲に入るこのようなすべての変更を包含するつもりである。
【図面の簡単な説明】
【００４６】
【図１】本発明による燃料電池発電装置を動作させる方法を図式的に示す。
【図２】さらに、本発明による燃料電池システムも図式的に示す。
【図３】本発明による燃料電池システムを図式的に示す。
【図４】電力系統連系形のブランチと電力系統とは無関係のブランチを持つ本発明による燃料電池システムの接続を図式的に示す。
【図５】本発明のさらに他の実施形態によるシステムを図式的に示す。
【図６】動作開始時と長時間の動作後の、燃料電池発電装置用のシステム動作点を表わしたものである。
【図１】
0004796957.tif 000002
【図２】
0004796957.tif 000003
【図３】
0004796957.tif 000004
【図４】
0004796957.tif 000005
【図５】
0004796957.tif 000006
【図６】
0004796957.tif 000007